(57)【要約】【課題】携帯電話装置の撮影画像で写真プリントを作製する際の作業負担感を可及的に低減する。【解決手段】充電中の携帯電話装置を収納する収納容器が複数個備えられた充電装置ＣＨと、写真プリント作製用の画像データを取込むプリント注文受付装置ＯＲとが設けられ、前記充電装置ＣＨと前記プリント注文受付装置ＯＲとが通信可能に接続され、前記複数の収納容器の夫々に、充電用端子を有する通信ケーブルが備えられ、前記収納容器に収納された写真撮影機能付きの携帯電話装置に前記通信ケーブルが接続された状態で、前記携帯電話装置への充電動作と、前記携帯電話装置からの写真プリント作製用の画像データの取込みとを行うように、充電機能併合式プリント受注システムが構成されている。【選択図】図１
2005322066.tif 000002
【特許請求の範囲】
【請求項１】
充電中の携帯電話装置を収納する収納容器が複数個備えられた充電装置と、写真プリント作製用の画像データを取込むプリント注文受付装置とが設けられ、
前記充電装置と前記プリント注文受付装置とが通信可能に接続され、
前記複数の収納容器の夫々に、充電用端子を有する通信ケーブルが備えられ、
前記収納容器に収納された写真撮影機能付きの携帯電話装置に前記通信ケーブルが接続された状態で、前記携帯電話装置への充電動作と、前記携帯電話装置からの写真プリント作製用の画像データの取込みとを行うように構成されている充電機能併合式プリント受注システム。
【請求項２】
前記携帯電話装置に前記通信ケーブルが接続された状態で、前記携帯電話装置への充電動作と、前記携帯電話装置からの写真プリント作製用の画像データの取込みとを同時並行で行うように構成されている請求項１記載の充電機能併合式プリント受注システム。
【請求項３】
前記充電装置による充電量に応じて写真プリント作製料金の計算条件を、あるいは、写真プリントの作製量に応じて前記充電装置による充電料金の計算条件を設定変更する料金管理装置が設けられている請求項１又は２記載の充電機能併合式プリント受注システム。
【請求項４】
前記充電装置と前記プリント注文受付装置とが別体に構成され、
前記プリント注文受付装置側に備えられた制御装置が、前記携帯電話装置への充電動作の管理と、前記携帯電話装置からの画像データの取込み動作の管理とを行うように構成されている請求項１〜３のいずれか１項に記載の充電機能併合式プリント受注システム。
【請求項５】
前記収納容器は、前記携帯電話装置を収納した状態において、前記携帯電話装置の存在空間を電磁波遮蔽部材にて覆うように構成されている請求項１〜４のいずれか１項に記載の充電機能併合式プリント受注システム。
【発明の詳細な説明】
【技術分野】
【０００１】
本発明は、携帯電話装置の充電機能と写真プリント作製の受注機能とを備えたシステムに関する。
【背景技術】
【０００２】
写真撮影機能付きの携帯電話装置では、近年、撮影画像の高画質化が進んでおり、単に携帯電話装置の表示画面で閲覧するのみならず、デジタルカメラによる撮影画像のように写真プリントとして出力したいという要求が強くなって来ている。
このような要求に応えるものとして、下記特許文献１に記載のような、インターネットを利用して携帯電話装置から画像データを送信してプリント出力するシステムが考えられている他、プリント注文受付装置を店頭等に設置して、携帯電話装置からプリント対象の画像の画像データを取込むことも、従来から考えられている。このようなプリント注文受付装置には、写真プリント装置と一体化して備えられる場合と、写真プリント装置とは別体に備えられてプリント注文の受付端末として機能する場合とがある。
携帯電話装置からプリント注文受付装置へプリント対象の画像データを取込む手段としては、携帯電話装置に備えられた外部接続端子とプリント注文受付装置とを通信ケーブルにて接続して画像データを取込ませる場合が多い。
このような画像データの取込み形式では、携帯電話装置の画像データを取込ませるための操作はそれほど煩雑というわけではなく、携帯電話装置にて撮影した画像の写真プリントを作製しようとする意思を明確に持っている利用者にとっては別段苦になるものでもない。
【特許文献１】特開２００４−８８７２６号公報
【発明の開示】
【発明が解決しようとする課題】
【０００３】
ところが、写真プリントにするという意思を明確には持たずに携帯電話装置の写真撮影機能を活用する利用者も多く、そのような利用者は、わざわざプリント注文受付装置の設置箇所に出向いて、更に、プリント注文受付装置を操作するのを煩わしく思う傾向が強い。又、プリント注文のための操作中に携帯電話装置を利用できないという不安感もある。
従って、このような利用者は、携帯電話装置にどんどん写真を撮りだめして行き、画像データの記憶容量が一杯になって、撮りたい撮影シーンで撮影できなかったり、あるいは、過去に撮影した大事な画像を削除せざるを得なくなってしまう場合も多い。
本発明は、かかる実情に鑑みてなされたものであって、携帯電話装置の撮影画像で写真プリントを作製する際の作業負担感を可及的に低減する点にある。
【課題を解決するための手段】
【０００４】
本出願の第１の発明は、充電中の携帯電話装置を収納する収納容器が複数個備えられた充電装置と、写真プリント作製用の画像データを取込むプリント注文受付装置とが設けられ、前記充電装置と前記プリント注文受付装置とが通信可能に接続され、前記複数の収納容器の夫々に、充電用端子を有する通信ケーブルが備えられ、前記収納容器に収納された写真撮影機能付きの携帯電話装置に前記通信ケーブルが接続された状態で、前記携帯電話装置への充電動作と、前記携帯電話装置からの写真プリント作製用の画像データの取込みとを行うように構成して、携帯電話装置への充電機能とプリント注文機能とを併合した充電機能併合式プリント受注システムを構成している。
【０００５】
すなわち、携帯電話装置の充電作業を長期間に亘って忘れてしまったり、あるいは、長期の外出時に充電装置を持たずに出かけてしまったような場合、外出先で携帯電話装置がバッテリー残量不足に陥ってしまう場合が少なくない。
このような場合のために、有料の携帯電話用充電装置が各所に設置されている。
このような携帯電話用の充電装置を利用する利用者は、充電装置を利用するに至った状況を考えると、携帯電話装置を継続して使用するのに必須の作業となる充電装置の設置箇所に出向いて携帯電話装置を充電用のケーブルに接続する操作等を煩わしいと考えることはない。又、充電中は携帯電話装置を使用できないことも、やむを得ないこととして理解される。
【０００６】
上記の充電装置の利用者が携帯電話装置の充電のために行う操作は、通信ケーブルを介してプリント注文受付装置に対して写真プリントの作製注文を行う操作と類似している。
そこで、充電用のケーブルに画像データ取込みのための通信ケーブルの機能をも併せ持たせて、充電のために携帯電話装置へ前記通信ケーブルを接続したときに、写真プリントを作製するための画像データの取込みをも行えるようにすることで、プリント注文のための操作を煩わしいと感じてしまうことなく、携帯電話装置に記憶されていた撮影画像を写真プリントとして保存しておくことが可能となる。
もちろん、写真プリントの作製注文を主目的として、このシステムを利用する利用者にとっても、写真プリントのついでに携帯電話装置に充電することが可能となるので、携帯電話装置がバッテリー残量不足に陥るのを防止できることになる。
尚、複数の収納容器を備える充電装置は、単一筐体に複数個の収納容器を備えるものでも良いし、夫々が単一の収納容器を備えるユニットの集合体として構成されるものであっても良い。
【０００７】
又、本出願の第２の発明は、上記第１の発明の構成に加えて、前記携帯電話装置に前記通信ケーブルが接続された状態で、前記携帯電話装置への充電動作と、前記携帯電話装置からの写真プリント作製用の画像データの取込みとを同時並行で行うように構成されている。
すなわち、携帯電話装置への充電中に画像データを取込んでしまうため、携帯電話装置からの画像の取込みのためだけに携帯電話装置が１つの収納容器を占有する時間が発生してしまうのを回避できる。
【０００８】
又、本出願の第３の発明は、上記第１又は第２の発明の構成に加えて、前記充電装置による充電量に応じて写真プリント作製料金の計算条件を、あるいは、写真プリントの作製量に応じて前記充電装置による充電料金の計算条件を設定変更する料金管理装置が設けられている。
すなわち、携帯電話装置の充電機能とプリント注文の受付機能とを併せ持つシステムであるので、夫々の機能を利用した場合における料金設定についても両者で連動させることで、多様なサービスの提供が可能となる。
【０００９】
又、本出願の第４の発明は、上記第１〜第３のいずれかの発明の構成に加えて、前記充電装置と前記プリント注文受付装置とが別体に構成され、前記プリント注文受付装置側に備えられた制御装置が、前記携帯電話装置への充電動作の管理と、前記携帯電話装置からの画像データの取込み動作の管理とを行うように構成されている。
すなわち、プリント注文受付装置の動作の管理は、動作が比較的単純な充電装置の管理に比べて、より高度な制御処理を実行することが要求され、制御装置として本来的に高能力のものが備えられている。
従って、プリント注文受付装置の制御装置の制御対象に充電動作の管理が付加されても、制御装置にとってはたいして処理負荷の増大とはならない。
そこで、プリント注文受付装置側で充電動作の管理をも併せて実行することで、プリント注文受付装置側の装置構成が複雑化してしまうことなく、充電装置側の装置構成の簡素化を図ることができる。
【００１０】
又、本出願の第５の発明は、上記第１〜第４のいずれかの発明の構成に加えて、前記収納容器は、前記携帯電話装置を収納した状態において、前記携帯電話装置の存在空間を電磁波遮蔽部材にて覆うように構成されている。
すなわち、携帯電話装置から画像データの取込みを行うためには、携帯電話装置の電源を「ＯＮ」状態としておく必要があるが、そのままでは、充電装置の収納容器に収納されている携帯電話装置に着信して充電装置の収納容器内で携帯電話装置が鳴りだし、充電装置の周囲にいる者に不快感を与えてしまう可能性がある。
そこで、収納容器に収納されている携帯電話装置には、基地局から電波が到達しないように電磁波遮蔽部材を配置する。
【発明の効果】
【００１１】
上記第１の発明によれば、携帯電話装置への充電作業と並行して写真プリントを作製するための画像データの取込みを行えるようにして、携帯電話装置の継続使用のために必須となる作業にプリント注文のための操作を組み込むことで、携帯電話装置の撮影画像で写真プリントを作製する際の作業負担感を可及的に低減できるに至った。
又、上記第２の発明によれば、携帯電話装置が１つの収納容器を占有する時間を可及的に短くすることができるため、システムの利用効率を向上させることができる。
又、上記第３の発明によれば、充電機能あるいはプリント注文受付機能を利用した場合における料金設定についても両者で連動させることで、多様なサービスの提供が可能となり、システムの付加価値を一層高めることができる。
【００１２】
又、上記第４の発明によれば、プリント注文受付装置側の装置構成が複雑化してしまうのを回避しながら、充電装置側の装置構成の簡素化を図ることができるので、システム全体の構成の簡素化を図ることができる。
又、上記第５の発明によれば、収納容器に収納されている携帯電話装置には、電磁波遮蔽部材の存在によって基地局から電波が到達しないので、着信音の発生等によって周囲に不快感を与えてしまうのを回避できる。
【発明を実施するための最良の形態】
【００１３】
以下、本発明の充電機能併合式プリント受注システムの実施の形態を図面に基づいて説明する。
本実施の形態の充電機能併合式プリント受注システムＰＯは、ブロック構成図として示す図１及び店舗に設置した状態の外観を示す図４に示すように、プリント注文受付装置ＯＲと、プリント注文受付装置ＯＲの側脇に並べて配置される複数台（具体的には３台）の携帯電話装置用の充電装置ＣＨと、いわゆるデジタルミニラボ機として知られている写真プリント装置ＥＰと、各種のソースから画像データを取込んで写真プリント装置ＥＰへ送る画像データを生成する画像入力装置ＩＲとを主要部として構成されている。
このシステムでは、顧客が写真フィルムやメモリーカードをオペレータに渡して、写真プリント装置ＥＰにて写真プリントを作製することができる他、顧客自身がプリント注文受付装置ＯＲを操作してメモリーカード等の各種の記録媒体等の画像データから写真プリントの作製を注文することもでき、更には、充電装置ＣＨにて充電中の携帯電話装置から画像データを取込ませてプリント注文することもできる。
【００１４】
〔プリント注文受付装置ＯＲの概略構成〕
プリント注文受付装置ＯＲは、図１及び図３の外観斜視図に示すように、ＣＤ−Ｒメディアやメモリーカード等の各種の記録媒体を読取るための複数種類のドライブを備えた外部入出力装置３１と、各種の案内表示や各記録媒体等から取込んだ画像の縮小画像等を表示する表示機能と各種の指示を入力操作するための入力機能とを備えたタッチパネル式のモニタ３２と、上部筐体３３に内蔵されてパーソナルコンピュータにより構成される制御装置３４と、下部筐体３５に内蔵されたプリンタ３６と、同じく下部筐体３５に内蔵された入出金ユニット３７とが備えられている。
入出金ユニット３７は、プリント注文受付装置ＯＲを利用して写真プリントの作製を注文する際の料金を徴収するための装置であり、下部筐体３５の正面側側面に紙幣及び硬貨を投入するための料金投入部３８と、釣り銭を排出するための釣り銭排出口３９とが備えられている。この入出金ユニット３７は、充電装置ＣＨの利用料金の徴収機能をも兼ねている。
【００１５】
下部筐体３５の正面側側面には、更に、プリンタ３６にて作製された写真プリントを排出するプリント排出口４０が備えられている。
プリンタ３６は昇華型熱転写方式のプリンタにて構成されており、このプリンタ３６を備えることによって、プリント注文受付装置ＯＲは単独でプリント注文の受付と写真プリントの作製とを行える装置として構成されているが、取込んだ画像データを写真プリント装置ＥＰへ送って、より高画質の写真プリントに仕上げることもできる。
【００１６】
〔充電装置ＣＨの概略構成〕
各充電装置ＣＨは、図２の斜視図に示すように、充電中の携帯電話装置ＨＰを収納する収納容器ＣＣとしての引出式のロッカー４１が上下方向に４段に並べて備えられ、各ロッカー４１の内部には、携帯電話装置ＨＰと接続するための通信ケーブル４２が備えられている。
通信ケーブル４２は、プリント注文受付装置ＯＲの制御装置３４と接続されて通信可能となっており、携帯電話装置ＨＰと画像データを含む各種のデータの授受を行うための信号線の他に充電用の電力供給線も含まれている。
これに対応して、通信ケーブル４２のコネクタ４２ａには各信号線が接続された信号端子の他に電力供給線が接続された充電用端子を有する。
従って、通信ケーブル４２のコネクタ４２ａを携帯電話装置ＨＰの外部接続端子に接続した状態で、充電と画像データ等のデータの授受とを同時並行で行うことができる。
【００１７】
各ロッカー４１の内壁には、布状の電磁波遮蔽部材が隙間無く貼着してあり、更に、充電装置本体側の天井面にも同様の布状の電磁波遮蔽部材が貼着してあるので、携帯電話装置ＨＰを収納してロッカー４１を閉じた収納状態においては、携帯電話装置ＨＰの存在空間を電磁波遮蔽部材にて覆う形となる。
これによって、携帯電話装置ＨＰの電源を「ＯＮ」状態としたままで、ロッカー４１に収納しても、携帯電話装置ＨＰに着信してしまうことがない。
更に、充電装置ＣＨには、図示を省略するが、充電用の電源装置や充電状態を制御する充電制御回路、並びに、ロッカー４１を引出し操作可能な状態と引出し操作を阻止する状態とに切り換えるロック機構やロッカー４１の開閉を検出する検出センサが備えられている。通信ケーブル４２の電力供給線には上記充電制御回路から電力が供給される。
この充電制御回路やロック機構等の各部の動作は、プリント注文受付装置ＯＲの制御装置３４にて制御される。
【００１８】
〔画像入力装置ＩＲの概略構成〕
画像入力装置ＩＲには、図１及び図４に概略的に示すように、写真フィルムの駒画像を読み取るフィルムスキャナ３と、メモリーカードリーダ，光磁気ドライブ及びＣＤ−Ｒドライブ等を備えた外部入出力装置４と、パーソナルコンピュータにて構成されてフィルムスキャナ３や外部入出力装置４の制御等を実行する主制御装置５とが備えられ、更に、主制御装置５には、仕上がりプリント画像をシミュレートしたシミュレート画像や各種の制御用の情報を表示するモニタ５ａと、露光条件の手動設定等や制御情報の入力操作をするための操作卓５ｂとが接続されている。
主制御装置５には、図示を省略するが、更に、フィルムスキャナ３から入力された写真フィルムの駒画像の画像データ、外部入出力装置４から入力された画像データ、更に、プリント注文受付装置ＯＲから入力された画像データを写真プリントの作製に適した画像に画像処理する画像処理装置が備えられている。
【００１９】
〔写真プリント装置ＥＰの概略構成〕
写真プリント装置ＥＰは、筐体内部に、レーザビーム走査露光方式で印画紙２上に画像を露光形成する露光ユニット２０と、露光ユニット２０を制御する露光制御装置２１と、露光ユニット２０にて露光された印画紙２を現像処理する現像処理装置２２と、筐体上面に配置された印画紙マガジン６から引き出された印画紙２を多数の搬送ローラ２３等にて現像処理装置２２へ搬送する印画紙搬送系ＰＴとが設けられている。
【００２０】
写真プリント装置ＥＰの筐体外部には、図４に示すように、現像処理装置２２にて現像処理及び乾燥処理された印画紙２をオーダ毎に分類するためのソータ２４と、排出口２２ａから排出された印画紙２をソータ２４へ搬送するコンベア２５とが設けられている。
更に、印画紙搬送系ＰＴの搬送経路の途中には、印画紙マガジン６から引き出された長尺の印画紙２を設定プリントサイズに切断するカッタ２６が備えられている。
【００２１】
〔充電装置ＣＨの利用時の処理〕
次に、充電装置ＣＨにて携帯電話装置ＨＰに充電する際の、プリント注文受付装置ＯＲとの連係動作について説明する。
充電装置ＣＨを利用するための各種のデータ入力操作は、プリント注文受付装置ＯＲのモニタ３２上から行い、プリント注文受付装置ＯＲにおいて、写真プリントの作製注文を受付けるための画面表示上に、充電装置ＣＨの使用開始時の処理や、充電の完了した携帯電話装置ＨＰの取出し時の処理を実行させるための画面表示も併せて表示されている。
上記画面表示がモニタ３２に表示されている状態で、利用者が、充電装置ＣＨの使用を開始する旨の画面表示部分にタッチ操作すると、制御装置３４は、図５のフローチャートに示す処理を開始する。
【００２２】
先ず、モニタ３２に、各充電装置ＣＨと各充電装置ＣＨにおけるロッカー４１の配置を模式的に図示した状態で、空きのロッカー４１とそれら空きのロッカー４１の中から利用したいロッカー４１を選択すべき旨を表示する（ステップ＃１）。
利用者が、モニタ３２のタッチパネルを操作して使用したいロッカー４１を指定すると（ステップ＃２）、次いで、指定したロッカー４１において、図２に示すように携帯電話装置ＨＰの外部接続端子と通信ケーブル４２のコネクタ４２ａとを接続して、ロッカー４１を閉じる操作を行うようにモニタ３２に案内表示する（ステップ＃３）。この案内表示において、携帯電話装置ＨＰの電源を「ＯＮ」にしたまま充電を行うと、充電と並行して、携帯電話装置ＨＰに記憶保存されている画像データによって写真プリントの作製も可能である旨も表示される。
【００２３】
利用者が、案内表示に従って携帯電話装置ＨＰを通信ケーブル４２に接続すると共に、ロッカー４１を閉じ操作して、図示を省略する検出センサ等が、ロッカー４１が閉じ状態となったことと、携帯電話装置ＨＰが接続されていることとを検出すると（ステップ＃４）、次いで、充電の完了した携帯電話装置ＨＰを取出す際の暗証番号を指定すべき旨の案内表示をモニタ３２に表示する（ステップ＃５）。
利用者が、モニタ３２のタッチパネルから暗証番号を入力操作すると（ステップ＃６）、料金を投入すべき旨の表示をモニタ３２に行う（ステップ＃７）。
【００２４】
この案内表示に従って、利用者が、料金投入部３８から入金すると、入出金ユニット３７から制御装置３４へ投入された金額を示す信号が入力される。
制御装置３４は、この入金完了の信号を受け取ると（ステップ＃８）、図示を省略するロック機構を作動させて、ロッカー４１を開き操作できない状態とし（ステップ＃９）、充電装置ＣＨに備えた充電制御回路に、入金された金額に応じた時間を指定して充電の開始を指示する（ステップ＃１０）。
【００２５】
この後、携帯電話装置ＨＰで撮影された写真画像の画像データで、プリント注文受付装置ＯＲに備えられたプリンタ３６あるいは写真プリント装置ＥＰによって写真プリントを作製することを勧める表示を行う（ステップ＃１１）。
この際の画面表示では、作製する写真プリントの枚数よって単位金額あたりの充電時間が拡大される（例えば、標準では「１００円」で「１０分」充電のところを、「１００円」で「１５分」充電とする等）ことを併せて表示する。
【００２６】
利用者が、モニタ３２のタッチパネルから写真プリントを作製する旨の入力操作を行うと（ステップ＃１２）、携帯電話装置ＨＰから画像データの取込みを開始する（ステップ＃１３）。このときは、携帯電話装置ＨＰへの充電と携帯電話装置ＨＰからの画像データの取込みとが同時並行で行われている。
画像データの取込みが完了すると（ステップ＃１４）、取込んだ画像の縮小画像と各画像についてプリント枚数を指定するための入力欄を表示する（ステップ＃１５）。
利用者が各画像についてのプリント枚数の入力を完了すると（ステップ＃１６）、写真プリントの作製枚数に応じたプリント料金の表示と、その料金を入金すべき旨の表示とをモニタ３２に行う（ステップ＃１７）。
【００２７】
利用者が、指定された料金を料金投入部３８から入金して、入出金ユニット３７が制御装置３４へ入金が完了したことを示す信号が入力されると（ステップ＃１８）、プリンタ３６あるいは写真プリント装置ＥＰのうちのいずれか指定された方へ画像データを送ってプリント処理を開始させる（ステップ＃１９）。
更に、写真プリントの総作製枚数に応じて単位金額あたりの充電時間を標準の時間よりも長く設定して、先に充電のために入金されている金額での充電時間を再計算し、延長分を充電装置ＣＨの充電制御回路に指定する（ステップ＃２０）。
すなわち、写真プリントの作製量に応じて充電装置ＣＨによる充電料金の計算条件を設定変更しており、制御装置３４は、写真プリントの作製料金や充電料金を管理する料金管理装置ＤＣとしても機能している。
【００２８】
次に、携帯電話装置ＨＰへの充電動作を終了する際の処理動作について説明する。
利用者が、モニタ３２のタッチパネルから携帯電話装置ＨＰへの充電動作の終了を指示入力すると、制御装置３４は、図６のフローチャートに示す処理を開始する。
先ず、各充電装置ＣＨと各充電装置ＣＨにおけるロッカー４１の配置を模式的に図示した状態で、利用しているロッカー４１の指定と、暗証番号の入力とを求める表示をモニタ３２に行い（ステップ＃２１）、適正な暗証番号が入力されると（ステップ＃２２）、充電開始時に既に写真プリントを作製するための入力操作を行っているときは（ステップ＃２３）、直ちに、該当のロッカー４１のロック機構にロックの解除を指示して（ステップ＃３３）、携帯電話装置ＨＰを取り出せるようにする。
【００２９】
一方、充電開始時に写真プリントを作製するための入力操作を行わなかったときは、携帯電話装置ＨＰで撮影された写真画像の画像データで、プリント注文受付装置ＯＲに備えられたプリンタ３６あるいは写真プリント装置ＥＰによって写真プリントを作製することを勧める表示を行う（ステップ＃２４）。
この際の画面表示では、その時点までの充電時間が設定時間よりも長いときに、１枚あたりのプリント料金を割り引く旨の表示を行い、更に、その時点までの充電時間が充電開始時の入金額に相当する充電時間よりも設定時間以上短いときは、設定枚数分の写真プリントの作製料金を無料にする旨の表示を行う。
【００３０】
利用者が、写真プリントの作製が不要であることを入力操作したとき（ステップ＃２５）は、該当のロッカー４１のロック機構にロックの解除を指示して（ステップ＃３３）、携帯電話装置ＨＰを取り出せるようにする。
これに対して、利用者が、写真プリントの作製を行う旨の入力操作したとき（ステップ＃２５）は、携帯電話装置ＨＰから画像データの取込みを開始し（ステップ＃２６）、取込みが完了すると（ステップ＃２７）、取込んだ画像の縮小画像と各画像についてプリント枚数を指定するための入力欄を表示する（ステップ＃２８）。
利用者が各画像についてのプリント枚数の入力を完了すると（ステップ＃２９）、充電時間と写真プリントの作製枚数とに応じたプリント料金を計算して、そのプリント料金の表示と、その料金を入金すべき旨の表示とをモニタ３２に行う（ステップ＃３０）。
【００３１】
この際のプリント料金の計算においては、先にステップ＃２４で案内表示した通り、設定時間をしきい値として、充電時間がそのしきい値より長いときは、プリント１枚あたりの料金を標準の料金よりも割り引きする。更に、その時点までの充電時間が充電開始時の入金額に相当する充電時間よりも設定時間以上短いとき、設定枚数（例えば１枚）のプリント料金を無料とする。
すなわち、充電装置ＣＨによる充電量に応じて写真プリント作製料金の計算条件を設定変更している。
利用者が、指定された料金を料金投入部３８から入金して、入出金ユニット３７が制御装置３４へ入金が完了したことを示す信号を出力すると（ステップ＃３１）、プリンタ３６あるいは写真プリント装置ＥＰのうちのいずれか指定された方へ画像データを送ってプリント処理を開始させ（ステップ＃３２）、該当のロッカー４１のロック機構にロックの解除を指示して（ステップ＃３３）、携帯電話装置ＨＰを取り出せるようにする。
【００３２】
〔別実施形態〕
以下、本発明の別実施形態を列記する。
（１）上記実施の形態では、プリント注文受付装置ＯＲの制御装置３４が、充電装置ＣＨの各部の動作を制御する場合を例示しているが、夫々が独立した制御装置を備えて、それらの制御装置が連係動作するように構成しても良い。
（２）上記実施の形態では、プリント注文受付装置ＯＲにもプリンタ３６を備えて、プリント注文受付装置ＯＲが単独でプリント注文の受付とプリント処理とを行えるように構成した場合を例示しているが、プリント注文受付装置ＯＲはプリント注文の受付端末としてのみ機能し、プリント処理は全て写真プリント装置ＥＰに委ねるように構成しても良い。
（３）上記実施の形態では、各充電装置ＣＨが４個の収納容器ＣＣを備える場合を例示しているが、夫々１個の収納容器ＣＣを備える収納ユニットを複数台備えて、複数台の収納ユニットにて１つの充電装置ＣＨを構成するようにしても良い。
【図面の簡単な説明】
【００３３】
【図１】本発明の実施の形態にかかるシステム全体の概略ブロック構成図
【図２】本発明の実施の形態にかかる充電装置の斜視図
【図３】本発明の実施の形態にかかるプリント注文受付装置の斜視図
【図４】本発明の実施の形態にかかるシステム全体の斜視図
【図５】本発明の実施の形態にかかるフローチャート
【図６】本発明の実施の形態にかかるフローチャート
【符号の説明】
【００３４】
ＣＣ  収納容器
ＣＨ  充電装置
ＤＣ  料金管理装置
ＨＰ  携帯電話装置
ＯＲ  プリント注文受付装置
３４  制御装置
４２  通信ケーブル
【図１】
2005322066.tif 000003
【図２】
2005322066.tif 000004
【図３】
2005322066.tif 000005
【図４】
2005322066.tif 000006
【図５】
2005322066.tif 000007
【図６】
2005322066.tif 000008